(57)【要約】  本発明の内部式パイプ連結装置１００は、パイプ１０を内側で固定するように支持するための支持体１１０と、パイプ１０の長手方向および半径方向に支持体１１０の移動を案内するための案内体１３０と、案内体１３０に移動可能に結合されて支持体１１０を動作させるための作動体１５０と、支持体１１０と作動体１５０とを連結するための連結部材１７０と、連結部材１７０と作動体１５０との間の直接な接触を防止し、作動体１５０の動作を円滑にするために、連結部材１７０と作動体１５０との間に介在される接触防止体１９０を、備える。
2011516807.tif 000002
【特許請求の範囲】
【請求項１】
パイプを内側で固定するように支持するための支持体と、
パイプの長手方向および半径方向に支持体の移動を案内するための案内体と、
案内体に移動可能に結合されて支持体を動作させるための作動体と、
を備えることを特徴とする内部式パイプ連結装置。
【請求項２】
前記支持体と前記作動体を連結するための連結部材を、さらに備えることを特徴とする請求項１に記載の内部式パイプ連結装置。
【請求項３】
前記連結部材は、弾性力を有する棒形圧縮コイルばねであることを特徴とする請求項２に記載の内部式パイプ連結装置。
【請求項４】
前記連結部材と前記作動体との間の直接な接触を防止し、前記作動体の動作を円滑にするために、前記連結部材と前記作動体との間に介在される接触防止体をさらに備えることを特徴とする請求項１または２に記載の内部式パイプ連結装置。
【請求項５】
前記支持体は角面を有し、前記角面には鋸歯状の多数の突起が長手方向に形成されることを特徴とする請求項１または２に記載の内部式パイプ連結装置。
【請求項６】
前記支持体は、前記パイプの角部の個数に対応する数に分割されることを特徴とする請求項５に記載の内部式パイプ連結装置。
【請求項７】
前記支持体は丸い面を有し、前記丸い面には鋸歯状の多数の突起が長手方向に形成されることを特徴とする請求項１または２に記載の内部式パイプ連結装置。
【請求項８】
前記支持体は、３個または４個に分割されることを特徴とする請求項７に記載の内部式パイプ連結装置。
【請求項９】
前記案内体は、前記支持体の内側に形成された傾斜面と対応する傾斜度を有する傾斜部と、前記作動体が装着される装着部と、前記傾斜部と装着部との間に設けられる前記パイプを止まらせるストッパーと、を備えることを特徴とする請求項１に記載の内部式パイプ連結装置。
【請求項１０】
前記傾斜部は、前記装着部から遠ざかるにつれて外側に広く広がることを特徴とする請求項９に記載の内部式パイプ連結装置。
【請求項１１】
前記装着部は、四角形の断面を有し、角部位にはネジ山が長手方向に形成され、残りの部位には案内体が位置することを特徴とする請求項１０に記載の内部式パイプ連結装置。
【請求項１２】
前記作動体は、回転により前記装着部に沿って移動するように、前記装着部にネジ結合することを特徴とする請求項１１に記載の内部式パイプ連結装置。
【請求項１３】
前記作動体は、前記パイプの端部に設置されるストッパーを貫通するようにネジ結合され、回転によって前記支持体を移動させることを特徴とする請求項１０に記載の内部式パイプ連結装置。
【請求項１４】
前記作動体は、前記支持体を移動させる移動部材と、前記移動部材を前記装着部に固定するように設置するための設置部材と、前記設置部材にピボット結合され、ピボット運動によって前記移動部材を前記パイプの長手方向に直線移動させるためのピボット部材と、
を備えることを特徴とする請求項１０に記載の内部式パイプ連結装置。
【請求項１５】
前記ストッパーは、前記装着部から外側に延長されることを特徴とする請求項９に記載の内部式パイプ連結装置。
【発明の詳細な説明】
【技術分野】
【０００１】
本発明は、パイプ連結装置に関するもので、より具体的には、２個または２個以上の多角形や円形のパイプを内部で容易く且つ堅く連結することができる内部式パイプ連結装置に関するものである。
【背景技術】
【０００２】
パイプは、気体または液体を含む各種流体を供給するために、産業現場でよく使用されているもので、作業条件などによって幾つかのパイプを一字型、Ｔ字型、Ｌ字型などに連結して使用している。
【０００３】
パイプを連結する装置が多く普及されて使用されており、その一例として、本出願人の韓国登録特許第10-0593285号の「パイプ固定装置」が挙げられる。
【０００４】
図１１及び図１２に示されたように、従来のパイプ固定装置は、胴体１０と、多数のジョー２０と、ジョー結合用の円筒形板ばね部材３０とを備えている。
【０００５】
胴体１０は、内部にパイプ１の端部がかけられる係止段差１１が形成されており、内側から入口方向に向けて直径が狭くなるテーパ面１２が形成されている。
【０００６】
ジョー２０は、胴体１０のテーパ面１２により案内され、内周面に胴体１０の外周面と接触する鋸歯部２１が形成されている。
【０００７】
板ばね部材３０は、ジョー２０に分離可能に結合され、ジョー２０を入口側に弾性的に押し出す。
【０００８】
上述した構成を有する従来のパイプ固定装置は、パイプ１が胴体１０に挿入される時、パイプ１の外周面と鋸歯部２１との摩擦力によって、ジョー２０が多少下側に押されるようになる。この時、板ばね部材３０は、ジョー２０の移動によって多少圧縮されるようになる。パイプ１が完全に挿入されると、ジョー２０は、板ばね部材３０の復元力によって入口側に移動しながら、パイプの外周面をしっかり締め付けるようになる。
【０００９】
しかしながら、従来のパイプ固定装置は、全体がパイプの外部に露出するため、建築構造物のように固定装置の外部露出を最小化しなければならない分野に適用するには適していなかった。
【００１０】
また、建築構造物は、大きな荷重を受けるので、四角形のような多角形パイプを使用することが好ましいが、これらを容易く且つ堅固に連結する作業が極めて困難であった。
【発明の概要】
【発明が解決しようとする課題】
【００１１】
本発明は、上記した従来の問題点を解決するために創案されたものである。
【００１２】
本発明の解決しようとする課題は、パイプを内側で固定するように連結させ、連結装置のノズルをなくすことにより、建築構造物に適用するのに適した内部式パイプ連結装置を提供することである。
【００１３】
本発明の他の課題は、四角形のような多角形パイプを内側で固定するように連結させることにより、大きな荷重を受ける建築構造物に適用するのに適した内部式パイプ連結装置を提供することである。
【課題を解決するための手段】
【００１４】
上述した課題を達成するために、本発明は、パイプを内側で固定するように支持するための支持体と、パイプの長手方向および半径方向に支持体の移動を案内するための案内体と、案内体に移動可能に結合されて支持体を動作させるための作動体と、を備えることを特徴とする内部式パイプ連結装置を提供する。
【００１５】
本発明は、支持体と作動体を連結するための連結部材をさらに備えることを特徴とし、連結部材は、弾性力を有する棒形圧縮コイルばねであることを他の特徴とする。また、連結部材と作動体との間の直接的な接触を防止し、作動体の動作を円滑にするために、連結部材と作動体との間に介在される接触防止体をさらに備えることを特徴とする。
【００１６】
本発明によれば、支持体は角面を有し、角面には鋸歯状の多数の突起が長手方向に形成されることを特徴とし、支持体は、パイプの角部の個数に対応する数に分割されることを他の特徴とする。
【００１７】
本発明によれば、支持体は丸い面を有し、丸い面には鋸歯状の多数の突起が長手方向に形成されることを特徴とし、支持体は、３個または４個に分割されることを他の特徴とする。
【００１８】
本発明によれば、案内体は、支持体の内側に形成された傾斜面と対応する傾斜度を有する傾斜部と、作動体が装着される装着部と、傾斜部と装着部との間に設けられるパイプを止まらせるストッパーと、を備えることを特徴とする。傾斜部は、装着部から遠ざかるにつれて外側に広く広がることを他の特徴とする。また、装着部は、四角形の断面を有し、互いに隣接しない４個の角部位にはネジ山が長手方向に形成され、残りの４個の角部位には案内体が位置することを特徴とし、作動体は、回転により装着部に沿って移動するように装着部にネジ結合することを特徴とする。
【００１９】
また、作動体は、パイプの端部に設置されるストッパーを貫通するようにネジ結合され、回転によって支持体を移動させることを他の特徴とする。
【００２０】
また、作動体は、支持体を移動させる移動部材と、移動部材を装着部に固定するように設置するための設置部材と、設置部材にピボット結合され、ピボット運動によって移動部材をパイプの長手方向に直線移動させるためのピボット部材と、を備えることを特徴とする。
【００２１】
また、ストッパーは、装着部から外側に延長されることを特徴とする。
【発明の効果】
【００２２】
本発明の内部式パイプ連結装置によれば、パイプを内側で固定するように連結させるので、連結装置が外部に露出しなくて美観上良いだけでなく、他の装置との抵触を避けることができて建築構造部に適用するのに適している。
【００２３】
また、四角形のような多角形パイプを内側で固定するように連結させるので、大きな荷重を受ける建築構造部に適用するのに適している。
【００２４】
また、パイプは、弾性的に固定されて支持されるので、振動のような外力にもよく耐えることができる。
【図面の簡単な説明】
【００２５】
【図１】本発明の好ましい第１実施例に係るパイプ連結装置の概略的な断面図である。
【図２】図１のパイプ連結装置の概略的な分解斜視図である。
【図３】本発明の好ましい第２実施例に係るパイプ連結装置の概略的な断面図である。
【図４】本発明の好ましい第３実施例に係るパイプ連結装置の概略的な断面図である。
【図５】本発明の好ましい第４実施例に係るパイプ連結装置の概略的な断面図である。
【図６】図５の支持体を具体的に示した概略的な斜視図である。
【図７】図１のパイプ連結装置を用いて、２個のパイプを「Ｌ」字型に連結した例示図である。
【図８】図１のパイプ連結装置を用いて、内部に流体が流れるパイプの端部を塞ぎ処理した様子を示した例示図である。
【図９】図８の案内体に圧力測定装置を連結し、パイプの内部の圧力を測定する様子を示した例示図である。
【図１０】図３のパイプ連結装置を用いて、２個のパイプを「一」字型に連結した例示図である。
【図１１】従来技術のパイプ固定装置の概略的な断面図である。
【図１２】図１１のパイプ固定装置を用いて、２個のパイプを「一」字型に連結した例示図である。
【発明を実施するための形態】
【００２６】
以下、添付する図面を参照して本発明の好ましい実施例に係る内部式パイプ連結装置について詳細に説明する。
【００２７】
（第１実施例）
図１及び図２に示したように、本発明の第１実施例に係るパイプ連結装置１００は、支持体１１０と、案内体１３０と、作動体１５０と、連結部材１７０と、接触防止体１９０と、を備える。
【００２８】
支持体１１０は、パイプ１０を内側で固定に支持するためのもので、四角形のパイプ１０の４個の内部角部と対応するように４個に分割されている。本実施例において、支持体１１０の個数は４個にしたが、パイプ１０が三角形または五角形の場合には、それに合わせて３個または５個に変更することが好ましい。
【００２９】
支持体１１０は、内側に傾斜面１１１を有し、外側に角面１１２を有し、角面１１２には、長手方向に並んで鋸歯状の多数の突起１１３が形成される。多数の突起１１３は、パイプ１０の進入方向に傾斜して形成される。
【００３０】
また、支持体１１０は、底面を貫通するように挿入孔１１４が形成される。
【００３１】
案内体１３０は、パイプの長手方向および半径方向に支持体１１０の移動を案内するためのもので、傾斜部１１３と、装着部１３２と、ストッパー１３９とが一体に設けられる。
【００３２】
傾斜部１３１は、支持体１１０をパイプ１０の長手方向および半径方向に案内するために、装着部１３２から遠ざかるにつれて外側に広く広がっている。支持体１１０の円滑な案内のために、傾斜部１３１と支持体１１０の傾斜面１１１とは、同一傾斜度を有する。
【００３３】
装着部１３２は、四角形の断面を有し、角部位にはネジ山１３３が長手方向に形成され、他の部位には案内体１３０が位置する。
【００３４】
ストッパー１３９は、傾斜部１３１と装着部１３２の連結部位から外側に長く延長され、パイプ１０が傾斜部１３１と装着部１３２との間で止まるように、パイプ１０の端面を支持する。
【００３５】
作動体１５０は、案内体１３０に移動可能に結合され、支持体１１０を動作させるためのもので、作動体１５０の内周面には、装着部１３２に形成されたネジ山１３３と対応するネジ山１５１が形成され、作動体１５０の外周面は、六角形または八角形のナット形態を有する。従って、作動体１５０は、案内体１３０の装着部１３２にネジ結合され、回転により装着部１３２に沿って移動するようになる。
【００３６】
連結部材１７０は、支持体１１０と作動体１５０とを連結するためのもので、本実施例では、弾性力を付与するために、棒形圧縮コイルばねを使用した。連結部材１７０は、支持体１１０に形成された挿入孔１１４にしっかり又は緩く挿入される。
【００３７】
接触防止体１９０は、作動体１５０と連結部材１７０との間の直接的な接触を防止し、作動体１５０の動作を円滑にするためのもので、本実施例では、ワッシャを適用し、作動体１５０と連結部材１７０との間に介在される。
【００３８】
接触防止体１９０は、中央に装着部１３２中にネジ山１３３が形成されていない４個の角部と多少余裕をもって接触するように、四角形のオープニング１９１が形成される。
【００３９】
上述した第１実施例によれば、作動体１５０が正回転しながら案内体１３０の装着部１３２に沿って上方に移動すると、接触防止体１９０が一緒に移動するようになる。また、接触防止体１９０の移動によって連結部材１７０が支持体１１０を上方に押し出すようになる。この時、支持体１１０は、案内体１３０の傾斜部１３１によってパイプ１０の長手方向および半径方向に同時に移動し、すなわち、略斜線に移動してパイプ１０の内壁に密着するようになる。
【００４０】
一方、作動体１５０が逆回転しながら案内体１３０の装着部１３２に沿って下方に移動すると、連結部材１７０が下方に移動するようになり、これとともに、支持体１１０が自重によって下方に移動するようになる。この時、支持体１１０は、パイプ１０の内壁から離れるようになる。
【００４１】
（第２実施例）
図３に示したように、本発明の第２実施例に係るパイプ連結装置２００は、支持体２１０と、案内体２３０と、作動体２５０と、連結部材２７０と、を備える。
【００４２】
支持体２１０は、第１実施例の支持体１１０と同一なので、具体的な説明は省略する。
【００４３】
案内体２３０は、装着部２３２にネジ山が形成されていない点を除外しては、第１実施例の案内体１３０と同一なので、具体的な説明は省略する。
【００４４】
作動体２５０は、ボルト形態を有し、パイプの端部に、すなわち傾斜部２３１と装着部２３２との連結部位に、設けられたストッパー２３９を貫通するようにネジ結合される。
【００４５】
連結部材２７０は、支持体２１０と作動体２５０との間に介在される。本実施例では、弾性力を付与するために、圧縮コイルばねを連結部材２７０として使用した。連結部材２７０は、支持体２１０に形成された挿入孔２１４にしっかり又は緩く挿入される。
【００４６】
上述した第２実施例によれば、作動体２５０が正回転しながら上方に移動すると、連結部材２７０が支持体２１０を上方に押し出すようになる。この時、支持体２１０は、案内体２３０の傾斜部２３１によってパイプ１０の長手方向および半径方向に同時に移動し、すなわち、略斜線に移動してパイプ１０の内壁に密着する。
【００４７】
一方、作動体２５０が逆回転しながら下方に移動すると、連結部材２７０が下方に移動するようになり、これとともに、支持体２１０が自重によって下方に移動する。この時、支持体２１０は、パイプ１０の内壁から離れるようになる。
【００４８】
（第３実施例）
図４に示したように、本発明の第３実施例に係るパイプ連結装置３００は、支持体３１０と、案内体３３０と、作動体３５０と、連結部材３７０と、を備える。
【００４９】
支持体３１０は、第１実施例の支持体１１０と同一なので、具体的な説明は省略する。
【００５０】
案内体３３０は、装着部３３２にネジ山が形成されていない点を除外しては、第１実施例の案内体１３０と同一なので、具体的な説明は省略する。
【００５１】
作動体３５０は、支持体３１０を移動させる移動部材３５１と、移動部材３５１を装着部３３２に固定するように設置するための設置部材３５２と、設置部材３５２にピボット結合され、ピボット運動によって移動部材３５１をパイプ１０の長手方向に直線運動させるためのピボット部材３５３と、を備える。ピボット部材３５３は、人間が把持して矢印Ａ−Ｂ方向に容易に回転させるように形成されている。
【００５２】
上述した第３実施例によれば、ピボット部材３５３を矢印Ａ方向に回転させると、移動部材３５１が上方に移動するようになり、これとともに連結部材３７０が支持体３１０を上方に押し出すようになる。この時、支持体３１０は、案内体３３０の傾斜部３３１によってパイプの長手方向および半径方向に同時に移動し、すなわち、略斜線に移動してパイプ１０の内壁に密着するようになる。
【００５３】
一方、ピボット部材３５３を矢印Ｂ方向に回転させると、移動部材３５１が下方に移動するようになり、これとともに支持体３１０が自重によって下方に移動するようになる。この時、支持体３１０は、パイプ１０の内壁から離れるようになる。
【００５４】
（第４実施例）
図５及び図６に示したように、本発明の第４実施例に係るパイプ連結装置４００は、支持体４１０と、案内体４３０と、作動体４５０と、連結部材４７０と、接触防止体４９０と、を備える。本実施例は、円筒形パイプ１０´を連結するための例であって、支持体４１０を除外した他の要素は、第１実施例と同一なので、具体的な説明は省略する。
【００５５】
支持体４１０は４個に分割されており、分割された各支持体４１０は、内側に傾斜面４１１を有し、外側に丸い面４１２を有し、丸い面４１２には長手方向に並んで鋸歯状の多数の突起４１３が形成される。多数の突起４１３は、パイプ１０´の進入方向に傾斜して形成される。
【００５６】
また、支持体４１０は、底面を貫通するように挿入孔４１４が形成される。
【００５７】
第４実施例の作用は、上記した第４実施例とほとんど同一なので、具体的な説明は省略する。
【００５８】
本発明の第１〜第４実施例に係る内部式パイプ連結装置の適用例を図７〜図１０に示した。
【００５９】
図７は、図１のパイプ連結装置１００を用いて、２個のパイプ１０を「Ｌ」字型に連結した様子を示している。図７では、案内体１３０が多少変更され、２個の同一した案内体１３０が「Ｌ」字型のエルボ等によって、一つに連結されている。
【００６０】
図８は、図１のパイプ連結装置１００を用いて、内部に流体が流れるパイプ１０の端部を塞ぎ処理した様子を示している。ここでは、案内体１３０が多少変更され、傾斜部１３１から延長するように密封部１３５を有する。密封部１３５は、パイプ１０の内面に多少余裕をもって挟まれるように形成され、気密のために環状の溝１３６にシール１３７が設けられている。
【００６１】
図９は、図８の案内体１３０に圧力測定装置２０を連結し、パイプ１０の内部の圧力を測定する様子を示している。
【００６２】
図１０は、図３のパイプ連結装置３００を用いて、２個のパイプ１０を「一」字型に連結した様子を示している。図１０では、案内体３３０が多少変更され、２個の同一した案内体３３０の装着部３３２が、互いに対向するように一体に連結されている。
【００６３】
本発明の連結装置は、装着部が連結された多様な組み合わせが可能であって、円形のパイプ、四角形のパイプ、大きなパイプと小さなパイプの連結も施行することができる。
【産業上の利用可能性】
【００６４】
本発明は、流体配管分野で仕上げ材として使用可能であり、幾つかの形態の建築構造物に広範囲に使われることができる。
【符号の説明】
【００６５】
１００、２００、３００、４００  パイプ連結装置
１１０、２１０、３１０、４１０  支持体
【図１】
2011516807.tif 000003
【図２】
2011516807.tif 000004
【図３】
2011516807.tif 000005
【図４】
2011516807.tif 000006
【図５】
2011516807.tif 000007
【図６】
2011516807.tif 000008
【図７】
2011516807.tif 000009
【図８】
2011516807.tif 000010
【図９】
2011516807.tif 000011
【図１０】
2011516807.tif 000012
【図１１】
2011516807.tif 000013
【図１２】
2011516807.tif 000014
【国際調査報告】
2011516807.tif 000015
2011516807.tif 000016
2011516807.tif 000017
2011516807.tif 000018